(57)【特許請求の範囲】
【請求項１】
軸線中心に回転するとともに外周面に被乾燥物が配設される乾燥ドラムと、この乾燥ドラムの外周面の少なくとも一部に対向配置される乾燥チャンバと、これら乾燥ドラム及び乾燥チャンバが収容される乾燥機本体と、を備えたドラム式乾燥機であって、
前記乾燥機本体には、前記軸線に平行に延びる内部レール部が配設されており、
前記乾燥チャンバは、前記内部レール部に案内されるスライド部材を有し、前記内部レール部に沿って前記軸線方向に移動する構成とされており、
前記乾燥機本体には、前記軸線方向一方側に向けて開口する開口部が形成され、この開口部には、前記内部レール部に連設され、かつ、前記内部レール部の延在方向に延びる外部レール部が着脱可能に配置されており、
前記外部レール部を配設した状態において、前記乾燥チャンバが、前記内部レール部から前記外部レール部側へと移動する構成とされていることを特徴とするドラム式乾燥機。
【請求項２】
前記外部レール部には、前記乾燥ドラムを搬送するドラム用台車が着脱可能に配設されており、
前記ドラム用台車は、前記乾燥ドラムを受けるドラム受け部と、このドラム受け部を昇降する昇降機構と、前記内部レール部及び外部レール部に案内されるスライド部材と、を備えており、
前記ドラム用台車が、前記外部レール部及び前記内部レール部に沿って前記軸線方向に移動し、前記開口部を介して乾燥機本体へと挿入される構成とされていることを特徴とする請求項１に記載のドラム式乾燥機。
【請求項３】
前記乾燥機本体の開口部には、前記外部レール部の高さ位置及び幅方向位置を案内する位置ガイド部が設けられていることを特徴とする請求項１または請求項２に記載のドラム式乾燥機。
【請求項４】
前記外部レール部には、高さ調整機構が設けられていることを特徴とする請求項１から請求項３のいずれか一項に記載のドラム式乾燥機。
【請求項５】
前記スライド部材は、前記内部レール部に位置する際には上下方向位置が固定されていることを特徴とする請求項１から請求項４のいずれか一項に記載のドラム式乾燥機。
【請求項６】
軸線中心に回転するとともに外周面に被乾燥物が配設される乾燥ドラムと、この乾燥ドラムの外周面の少なくとも一部に対向配置される乾燥チャンバと、これら乾燥ドラム及び乾燥チャンバが収容される乾燥機本体と、を備えたドラム式乾燥機のメンテナンス方法であって、
前記乾燥機本体には、前記軸線に平行に延びる内部レール部が配設されており、前記乾燥チャンバは、前記内部レール部に案内されるスライド部材を有し、前記内部レール部に沿って前記軸線方向に移動する構成とされており、
前記乾燥機本体には、前記軸線方向一方側に向けて開口する開口部が形成され、この開口部には、前記内部レール部に連設され、かつ、前記内部レール部の延在方向に延びる外部レール部が着脱可能に配置されており、
前記乾燥機本体の開口部に前記外部レール部を配設した状態で、前記乾燥チャンバを、前記内部レール部から前記外部レール部側へと移動することによって前記乾燥機本体の外部に取り出すことを特徴とするドラム式乾燥機のメンテナンス方法。
【請求項７】
軸線中心に回転するとともに外周面に被乾燥物が配設される乾燥ドラムと、この乾燥ドラムの外周面の少なくとも一部に対向配置される乾燥チャンバと、これら乾燥ドラム及び乾燥チャンバが収容される乾燥機本体と、を備えたドラム式乾燥機のメンテナンス方法であって、
前記乾燥機本体には、前記軸線に平行に延びる内部レール部が配設されており、前記乾燥チャンバは、前記内部レール部に案内されるスライド部材を有し、前記内部レール部に沿って前記軸線方向に移動する構成とされており、
前記乾燥機本体には、前記軸線方向一方側に向けて開口する開口部が形成され、この開口部には、前記内部レール部に連設され、かつ、前記内部レール部の延在方向に延びる外部レール部が着脱可能に配置されており、
前記外部レール部には、前記乾燥ドラムを搬送するドラム用台車が着脱可能に配設されており、前記ドラム用台車は、前記乾燥ドラムを受けるドラム受け部と、このドラム受け部を昇降する昇降機構と、前記内部レール部及び外部レール部に案内されるスライド部材と、を備えており、
このドラム用台車を用いて前記乾燥機本体の外部へと前記乾燥ドラムを取り出すことを特徴とするドラム式乾燥機のメンテナンス方法。
【発明の詳細な説明】
【技術分野】
【０００１】
本発明は、乾燥ドラムの外周面に配設された被乾燥物を乾燥させるドラム式乾燥機、及び、このドラム式乾燥機のメンテナンス方法に関するものである。
【背景技術】
【０００２】
上述のドラム式乾燥機は、例えば特許文献１、２に示すように、連続紙等の長尺の基材の表面に印刷、塗布等を行う印刷記録装置等において、印刷、塗布等がされた基材を乾燥させる際に使用されるものである。
このドラム式乾燥機は、軸線中心に回転する乾燥ドラムと、この乾燥ドラムの外周面の少なくとも一部に対向配置された乾燥チャンバと、これら乾燥ドラム及び乾燥チャンバが収容される乾燥機本体と、を備えている。乾燥ドラムは、内部に配設されたヒータによってその外周面が加熱される構成とされており、乾燥チャンバは、乾燥ドラムの外周面に対して温風を送風する構成とされている。
【０００３】
ここで、上述のドラム式乾燥機においては、乾燥チャンバが乾燥ドラムの軸線方向に移動可能とされている。まず、乾燥チャンバを乾燥ドラムから退避した状態で、被乾燥物（長尺の基材）を乾燥ドラムに巻き掛け、連続的に被乾燥物が乾燥ドラムの外周面を移動するように構成する。その後、乾燥チャンバを乾燥ドラムの外周面に対向する位置に移動し、乾燥を開始する。すると、乾燥ドラムに巻き掛けられた被乾燥物は、乾燥ドラムの内側からの加熱、及び、乾燥チャンバからの温風によって乾燥させられることになる。
【先行技術文献】
【特許文献】
【０００４】
【特許文献１】特開２００１−１４１３６４号公報
【特許文献２】特開２００７−１９６５１３号公報
【発明の概要】
【発明が解決しようとする課題】
【０００５】
ところで、上述のドラム式乾燥機においては、乾燥チャンバ及び乾燥ドラムを、乾燥機本体の外部に取り外してメンテナンス等を実施する必要がある。
従来は、乾燥機本体内にプレートを載置し、このプレートの上に敷布を敷いておき、この敷布の上で乾燥チャンバや乾燥ドラムを分解して取り外した後、敷布とともに引き出して、乾燥機本体の外部へと搬出していた。
【０００６】
ここで、乾燥チャンバ及び乾燥ドラムは、比較的大きく重量物であることから、乾燥機本体の外部への搬出時に大きな労力が必要であった。また、乾燥チャンバ及び乾燥ドラムを搬出する際に、これらの部品を衝突させて破損させてしまうおそれがあった。
さらに、作業が複雑であって容易に乾燥チャンバや乾燥ドラムを取り外すことができないため、メンテナンス作業を迅速に行うことができず、設備の稼働率が低下してしまうおそれがあった。
【０００７】
本発明は、前述した状況に鑑みてなされたものであって、乾燥機本体から乾燥チャンバ等の部品を容易に、かつ、確実に取り出すことができるドラム式乾燥機及びドラム式乾燥機のメンテナンス方法を提供することを目的とする。
【課題を解決するための手段】
【０００８】
この課題を解決するために、本発明に係るドラム式乾燥機は、軸線中心に回転するとともに外周面に被乾燥物が配設される乾燥ドラムと、この乾燥ドラムの外周面の少なくとも一部に対向配置される乾燥チャンバと、これら乾燥ドラム及び乾燥チャンバが収容される乾燥機本体と、を備えたドラム式乾燥機であって、前記乾燥機本体には、前記軸線に平行に延びる内部レール部が配設されており、前記乾燥チャンバは、前記内部レール部に案内されるスライド部材を有し、前記内部レール部に沿って前記軸線方向に移動する構成とされており、前記乾燥機本体には、前記軸線方向一方側に向けて開口する開口部が形成され、この開口部には、前記内部レール部に連設され、かつ、前記内部レール部の延在方向に延びる外部レール部が着脱可能に配置されており、前記外部レール部を配設した状態において、前記乾燥チャンバが、前記内部レール部から前記外部レール部側へと移動する構成とされていることを特徴としている。
【０００９】
この構成のドラム式乾燥機においては、乾燥チャンバを乾燥ドラムの軸線方向に移動させるための内部レール部を有し、この内部レール部に連設するように、乾燥機本体の開口部に外部レール部が配設されているので、乾燥チャンバを内部レール部及び外部レール部に沿って移動させることにより、乾燥チャンバを乾燥機本体の外部へと簡単に取り出すことが可能となる。また、外部レール部は着脱可能とされていることから、メンテナンス時にのみ取り付けて使用することができる。さらに、外部レール部を乾燥機本体の開口部に配設することで容易に乾燥チャンバを取り出すことが可能であることから、メンテナンス作業を迅速に実施することができる。
【００１０】
ここで、前記外部レール部には、前記乾燥ドラムを搬送するドラム用台車が着脱可能に配設されており、前記ドラム用台車は、前記乾燥ドラムを受けるドラム受け部と、このドラム受け部を昇降する昇降機構と、前記内部レール部及び外部レール部に案内されるスライド部材と、を備えており、前記ドラム用台車が、前記外部レール部及び前記内部レール部に沿って前記軸線方向に移動し、前記開口部を介して乾燥機本体へと挿入される構成とされていることが好ましい。
【００１１】
この場合、外部レール部にドラム用台車を配設し、このドラム用台車を外部レール部及び内部レール部に沿って移動することにより、ドラム用台車が前記開口部を介して乾燥機本体へと挿入されることになる。そして、ドラム用台車は、ドラム受け部を昇降する昇降機構を備えているので、ドラム受け部を上昇させることで乾燥ドラムを支持した状態で乾燥ドラムを乾燥機本体から取り外すことが可能となる。乾燥機本体から取り外された乾燥ドラムは、ドラム用台車の上に載置された状態で内部レール部及び外部レール部に沿って移動し、乾燥機本体の外部へと取り出される。よって、乾燥ドラムを傷つけることなく、確実に乾燥機本体の外部へと搬出することが可能となる。
また、上述のように、ドラム用台車は、ドラム受け部を昇降する昇降機構を備えているので、乾燥ドラムが乾燥機本体内に装着された状態でドラム用台車を乾燥機本体内に挿入する際に、ドラム受け部が乾燥ドラムと干渉することが防止される。
【００１２】
また、前記本体部の開口部には、前記外部レール部の高さ位置及び幅方向位置を案内する位置ガイド部が設けられていることが好ましい。
この場合、位置ガイド部によって外部レール部の高さ位置及び幅方向位置が案内されることになり、内部レール部との連設を円滑に行うことができる。よって、上述の乾燥チャンバ及びドラム用台車が、内部レール部と外部レール部との間を確実に移動することが可能となる。また、外部レール部の装着作業が簡単になり、メンテナンス作業をさらに迅速に実施することができる。
【００１３】
さらに、前記外部レール部には、高さ調整機構が設けられていることが好ましい。
この場合、乾燥機本体の開口部から離間した位置において、床面等に傾斜や凹凸が存在しても、外部レール部の高さを調整することで、外部レール部を水平に保つことができ、上述の乾燥チャンバのスライド移動を円滑に行うことが可能となる。
【００１４】
また、前記スライド部材は、前記内部レール部に位置する際には上下方向位置が固定されていることが好ましい。
この場合、乾燥機本体内部において、乾燥チャンバの上下方向位置が安定することになり、乾燥機本体内部の他の部品等に衝突することが防止されることになる。
【００１５】
本発明に係るドラム式乾燥機のメンテナンス方法は、軸線中心に回転するとともに外周面に被乾燥物が配設される乾燥ドラムと、この乾燥ドラムの外周面の少なくとも一部に対向配置された乾燥チャンバと、これら乾燥ドラム及び乾燥チャンバが収容される乾燥機本体と、を備えたドラム式乾燥機のメンテナンス方法であって、前記乾燥機本体には、前記軸線に平行に延びる内部レール部が配設されており、前記乾燥チャンバは、前記内部レール部に案内されるスライド部材を有し、前記内部レール部に沿って前記軸線方向に移動する構成とされており、前記乾燥機本体には、前記軸線方向一方側に向けて開口する開口部が形成され、この開口部には、前記内部レール部に連設され、かつ、前記内部レール部の延在方向に延びる外部レール部が着脱可能に配置されており、前記乾燥機本体の開口部に前記外部レール部を配設した状態で、前記乾燥チャンバを、前記内部レール部から前記外部レール部側へと移動することによって前記乾燥機本体の外部に取り出すことを特徴としている。
【００１６】
このような構成とされたドラム式乾燥機のメンテナンス方法によれば、乾燥機本体の開口部に外部レール部を配設し、前記乾燥チャンバを、前記内部レール部から前記外部レール部側へと移動することによって前記乾燥機本体の外部に取り出すことができることから、乾燥チャンバの取り外し作業を、簡単に、かつ、確実に実施することができる。よってメンテナンス作業を迅速に実施することができる。
【００１７】
また、本発明に係るドラム式乾燥機のメンテナンス方法は、軸線中心に回転するとともに外周面に被乾燥物が配設される乾燥ドラムと、この乾燥ドラムの外周面の少なくとも一部に対向配置される乾燥チャンバと、これら乾燥ドラム及び乾燥チャンバが収容される乾燥機本体と、を備えたドラム式乾燥機のメンテナンス方法であって、前記乾燥機本体には、前記軸線に平行に延びる内部レール部が配設されており、前記乾燥チャンバは、前記内部レール部に案内されるスライド部材を有し、前記内部レール部に沿って前記軸線方向に移動する構成とされており、前記乾燥機本体には、前記軸線方向一方側に向けて開口する開口部が形成され、この開口部には、前記内部レール部に連設され、かつ、前記内部レール部の延在方向に延びる外部レール部が着脱可能に配置されており、前記外部レール部には、前記乾燥ドラムを搬送するドラム用台車が着脱可能に配設されており、前記ドラム用台車は、前記乾燥ドラムを受けるドラム受け部と、このドラム受け部を昇降する昇降機構と、前記内部レール部及び外部レール部に案内されるスライド部材と、を備えており、このドラム用台車を用いて前記乾燥機本体の外部へと前記乾燥ドラムを取り出すことを特徴としている。
【００１８】
このような構成とされたドラム式乾燥機のメンテナンス方法によれば、乾燥機本体の開口部に外部レール部を配設し、この外部レール部にドラム用台車を配設することにより、ドラム用台車を利用して乾燥ドラムを前記乾燥機本体の外部に取り出すことができることから、乾燥ドラムの取り外し作業を、簡単に、かつ、確実に実施することができる。よってメンテナンス作業を迅速に実施することができる。
【発明の効果】
【００１９】
本発明によれば、乾燥機本体から乾燥チャンバ等の部品を容易に、かつ、確実に取り出すことができるドラム式乾燥機及びドラム式乾燥機のメンテナンス方法を提供することができる。
【図面の簡単な説明】
【００２０】
【図１】本実施形態であるドラム式乾燥機を備えた印刷記録装置の一例を示す図である。
【図２】本発明の実施形態であるドラム式乾燥機の概略説明図である。
【図３】図３に示すドラム式乾燥機の上面説明図である。
【図４】図３に示すドラム式乾燥機の側面説明図である。
【図５】スライド部材と内部レール部との係合状態を示す説明図である。
【図６】本発明の実施形態であるドラム式乾燥機に配設されたドラム用台車の正面図である。
【図７】図６に示すドラム用台車と外部レール部の上面説明図である。
【図８】図６に示すドラム用台車と外部レール部の側面説明図である。
【発明を実施するための形態】
【００２１】
以下に、本発明の実施形態について添付した図面を参照にして説明する。
本実施形態であるドラム式乾燥機１０は、図１に示すような印刷記録装置１に備えられ、印刷、塗布等がされた長尺の基材（本実施形態では連続紙Ｐ）を連続的に乾燥させるために使用されるものである。
【００２２】
図１に示す印刷記録装置１は、連続紙Ｐを供給する給紙部２と、連続紙Ｐに対して印刷を行う印刷部３と、印刷された連続紙Ｐを乾燥する乾燥部４と、乾燥された連続紙Ｐを外部へと排出する排出部５と、を備えている。
印刷部３としては、例えば電子写真印刷機、オフセット印刷機、インクジェット、水性糊塗工機等の各種印刷機を適用することができる。すなわち、連続紙Ｐの表面に印刷インク等を塗布するものであればよい。
【００２３】
そして、本実施形態であるドラム式乾燥機１０は、印刷部３の後段に配設された乾燥部４として用いられるものである。
このような構成の印刷記録装置１では、給紙部２から連続紙Ｐが印刷部３へと供給され、印刷部３において連続紙Ｐに対して印刷が実施される。そして、印刷された連続紙Ｐが乾燥部４（ドラム式乾燥機１０）において連続的に乾燥され、その後、排出部５を介して外部へと排出されることになる。
【００２４】
本実施形態であるドラム式乾燥機１０は、図２に示すように、軸線Ｏを中心に回動される乾燥ドラム２０と、この乾燥ドラム２０の外周面の少なくとも一部に対向するように配設された乾燥チャンバ３０とを備えている。本実施形態では、これら乾燥ドラム２０及び乾燥チャンバ３０とが、図１及び図２に示すように乾燥機本体１１内に収容されている。なお、この乾燥機本体１１においては、軸線Ｏ方向一方側に向けて開口した開口部１２が設けられている。
【００２５】
乾燥ドラム２０は、乾燥機本体１１の本体フレーム１１Ａから延びるドラム受けアーム１３によって軸支されている。なお、このドラム受けアーム１３は本体フレーム１１Ａに対して着脱可能とされている。
また、乾燥ドラム２０には、その内部にヒータ（図示なし）が配設されており、乾燥ドラム２０の外周面を加熱する構成とされている。
【００２６】
乾燥チャンバ３０は、乾燥ドラム２０の外周面の少なくとも一部に対向するように配設されており、本実施形態では、図２に示すように、ドラム受けアーム１３が通過する部分のみを切り欠いた形状とされている。また、乾燥チャンバ３０と乾燥ドラム２０との間の空間は、連続紙Ｐが通過可能な大きさとされている。この乾燥チャンバ３０には、乾燥ドラム２０の外周面に向けて温風を供給する送風部（図示なし）と、湿気を含む空気を排出する排気部（図示なし）と、が設けられている。
【００２７】
この乾燥チャンバ３０は、図３及び図４に示すように、乾燥チャンバ３０の軸線Ｏ方向他端側（図３及び図４において左側）に、ブラケット３１を備えている。
そして、乾燥チャンバ３０及びブラケット３１の側壁面には、スライド部材３３が固定されている。このスライド部材３３は、図２に示すように、軸線Ｏに沿った方向から見て乾燥チャンバ３０の上部と下部にそれぞれ配設されている。また、図４に示すように、ブラケット３１においては、乾燥チャンバ３０の下部に配設されたスライド部材３３と同一高さ位置にスライド部材３３が配設されている。すなわち、乾燥チャンバ３０及びブラケット３１には、図４に示すように、片側の側壁面に３つのスライド部材３３が配設されているのである。
【００２８】
このスライド部材３３は、図４に示すように、２つの上部ホイール３４と、２つの下部ホイール３５と、これら上部ホイール３４及び下部ホイール３５を支持するプレート部材３６と、を備えている。上部ホイール３４及び下部ホイール３５は、図５に示すように、その周面に断面Ｖ字状をなす環状溝３７が設けられており、この環状溝３７の両側に円周面部３８が画成されている。
【００２９】
そして、図３に示すように、乾燥機本体１１の本体フレーム１１Ａ、１１Ｂ、１１Ｃ、１１Ｄのうち、乾燥チャンバ３０及びブラケット３１の側壁面が対向する部分には、軸線Ｏに平行に延びる内部レール部１５が配設されている。この内部レール部１５は、図３及び図４に示すように、乾燥チャンバ３０及びブラケット３１の側壁面の下部に配設されたスライド部材３３が係合する位置に設けられている。また、乾燥機本体１１の本体フレーム１１Ａ、１１Ｂ、１１Ｃ、１１Ｄには、内部レール部１５と平行して延びる補助レール部１６が設けられており、この補助レール部１６に、乾燥チャンバ３０の側壁面の上部に配設されたスライド部材３３が係合するように構成されている。なお、図４に示すように、補助レール部１６の長さは、内部レール部１５の長さよりも短くなっている。
【００３０】
ここで、内部レール部１５及び補助レール部１６は、図５に示すように、本体フレーム１１Ａに固定された座板１７と支持板１８によって固定されている。また、内部レール部１５及び補助レール部１６は、延在方向に直交する断面において上面部が上方に向かうに従い漸次幅が狭くなるように構成され、下面部が下方に向かうに従い漸次幅が狭くなるように構成されている。そして、これら上面部及び下面部が、前述のスライド部材３３の上部ホイール３４及び下部ホイール３５の環状溝３７に係合する構成とされている。
【００３１】
この乾燥チャンバ３０は、スライド部材３３の上部ホイール３４及び下部ホイール３５が内部レール部１５に沿って転動することにより、軸線Ｏ方向に移動することになる。そして、乾燥ドラム２０に連続紙Ｐを巻き掛ける際には、乾燥ドラム２０から退避するように軸線Ｏ方向他方側（図３及び図４において左側）に位置させられることになる。一方、連続紙Ｐの乾燥を行う際には、乾燥ドラム２０の外周面に対向する位置に移動させられることになる。
【００３２】
そして、乾燥機本体１１の開口部１２には、上述の内部レール部１５に連設され、かつ、内部レール部１５の延在方向に延びる外部レール部４０が着脱可能に配置されている。この外部レール部４０は、図４に示すように、そのレール面（上面）が前述の内部レール部１５よりも下方に位置させられている。具体的には、スライド部材３３の下部ホイール３５の最下位置が外部レール部４０のレール面となるように、内部レール部１５に対して下方に位置しているのである。なお、本実施形態では、外部レール部４０は、Ｌ型鋼等の軽量型鋼によって構成されており、軽量で取扱いが容易とされている。
【００３３】
乾燥機本体１１の開口部１２には、上方に向けて突出する位置ガイドピン１１Ｅが設けられている。外部レール部４０の一端に設けられたガイド孔にこの位置ガイドピン１１Ｅを挿通することにより、外部レール部４０の高さ位置及び幅方向位置が案内される。なお、本実施形態では、図４に示すように、内部レール部１５の一部と外部レール部４０に一部とが重複するように配置されている。
【００３４】
外部レール部４０は、乾燥チャンバ３０及びブラケット３１の軸線Ｏ方向の合計長さよりも長くなるように設定されており、延在方向に間隔をおいて複数の支持脚部４１を備えている。この支持脚部４１には、高さ調節機構が設けられており、外部レール部４０の高さ位置を調整可能とされている。
また、外部レール部４０は、幅方向に間隔をあけて２本配設されており、この２本の外部レール部４０をつなぐ横桟４２が、外部レール部４０の延在方向に間隔を開けて複数配設されている。
【００３５】
この外部レール部４０の一方側端部（図３及び図４において右端）には、当接部材４３及びストッパ部材４４が配設されている。当接部材４３は、外部レール部４０を移動する部材に当接して軸線Ｏ方向位置を案内するものである。また、ストッパ部材４４は、外部レール部４０のレール面に対して出没し、スライド部材３３の下部ホイール３５の一つを固定する構造とされている。
また、外部レール部４０には、幅方向位置を案内するガイドレール４５が設けられている。このガイドレール４５は、レール面の幅方向端部に配設されており、スライド部材３３の下部ホイール３５の側面に接するように配置されている。
【００３６】
そして、この外部レール部４０には、図６から図８に示すように、乾燥ドラム２０を搬送するためのドラム用台車５０が着脱可能に配設される。
このドラム用台車５０は、台車本体５１と、この台車本体５１の上方に設けられて乾燥ドラム２０を支持するドラム受け部５２と、台車本体５１の側壁に設けられたスライド部材５３と、ドラム受け部５２を昇降させる昇降機構５７と、台車本体５１の軸線Ｏ方向位置を固定するロック部材５８と、を備えている。
スライド部材５３は、上述した乾燥チャンバ３０及びブラケット３１に設けられたものと同一の構造とされており、上部ホイール５４、下部ホイール５５、プレート部材５６を備えている。本実施形態では、図８に示すように、４つのスライド部材５３が配設されており、外部レール部４０のレール面上を移動し、かつ、内部レール部１５に係合して乾燥機本体１１内に挿入される構成とされている。
【００３７】
次に、このような構成とされたドラム式乾燥機１０のメンテナンス方法について説明する。
まず、乾燥チャンバ３０及びブラケット３１を乾燥機本体１１の外部へ取り出すことになる。乾燥機本体１１の開口部１２に外部レール部４０を配設する。このとき、開口部１２に形成された位置ガイドピン１１Ｅを外部レール部４０のガイド孔に挿入する。これにより、外部レール部４０の高さ位置及び幅方向位置が案内される。さらに、外部レール部４０の支持脚部４１に設けられた高さ調整機構により、外部レール部４０のレール面が水平になるように調整する。
【００３８】
そして、乾燥チャンバ３０及びブラケット３１を軸線Ｏ方向一方側に向けて移動する。内部レール部１５に沿って移動してきたスライド部材３３は、外部レール部４０のレール面の上にスライド部材３３の下部ホイール３５が載置されることになる。そして、外部レール部４０のレール面の上を下部ホイール３５が転動し、乾燥チャンバ３０及びブラケット３１が外部レール部４０に沿って移動することになる。これにより、乾燥チャンバ３０及びブラケット３１が乾燥機本体１１の外部に取り出される。また、乾燥チャンバ３０が当接部材４３に当接させられ、ストッパ部材４４によって下部ホイール３５を固定することで、乾燥チャンバ３０及びブラケット３１が外部レール部４０の上で固定されることになる。
【００３９】
そして、この乾燥チャンバ３０及びブラケット３１をクレーン等の搬送機によって外部レール部４０から取り除き、代わりに、ドラム用台車５０を配設する。
このドラム用台車５０を外部レール部４０及び内部レール部１５に沿って移動させて、乾燥機本体１１内へと挿入し、乾燥ドラム２０の下方に配置してロック部材５８によって固定する。次に、昇降機構５７によってドラム用台車５０のドラム受け部５２を上昇させ、乾燥ドラム２０に接触させる。
【００４０】
この状態で、乾燥ドラム２０を軸支しているドラム受けアーム１３等を取り外し、乾燥機本体１１から乾燥ドラム２０を分離する。そして、図７及び図８に示すように、ドラム用台車５０に載置された乾燥ドラム２０を内部レール部１５及び外部レール部４０に沿って移動し、乾燥機本体１１の外部へと搬出する。なお、このドラム用台車５０には、上述の乾燥チャンバ３０及びブラケット３１に備えられたスライド部材３３と同じ構造のスライド部材５３が設けられていることから、内部レール部１５から外部レール部４０にわたって円滑に移動することが可能である。
【００４１】
このようにして、乾燥機本体１１の外部に搬出された乾燥チャンバ３０及びブラケット３１、並びに、乾燥ドラム２０は、必要なメンテナンスが実施された後に、外部レール部４０を用いて、乾燥機本体１１内へと搬入されることになる。
【００４２】
以上のような構成とされた本実施形態であるドラム式乾燥機１０及びドラム式乾燥機１０のメンテナンス方法によれば、乾燥機本体１１の開口部１２に、内部レール部１５に連設し、かつ、内部レール部１５の延在方向に延びる外部レール部４０が配置され、スライド部材３３が、この外部レール部４０のレール面を転動する構成とされていることから、乾燥チャンバ３０及びブラケット３１を内部レール部１５から外部レール部４０にわたって移動させることが可能となり、乾燥チャンバ３０及びブラケット３１を乾燥機本体１１の外部へと簡単に搬出することができる。
また、外部レール部４０は着脱可能とされていることから、メンテナンス時にのみ取り付けて使用することができる。さらに、外部レール部４０を配設することで、乾燥チャンバ３０及びブラケット３１を引き出すことができるので、簡単な作業で確実に乾燥チャンバ３０及びブラケット３１を乾燥機本体１１から搬出することができる。
【００４３】
さらに、外部レール部４０に、乾燥ドラム２０を搬送するためのドラム用台車５０が着脱可能に配設されており、このドラム用台車５０が、上述の乾燥チャンバ３０及びブラケット３１に備えられたスライド部材３３と同じ構造のスライド部材５３を備えていることから、ドラム用台車５０を外部レール部４０及び内部レール部１５に沿って移動させて、乾燥機本体１１内に挿入することができる。
また、このドラム用台車５０は、乾燥ドラム２０を支持するドラム受け部５２と、このドラム受け部５２を昇降させる昇降機構５７と、を備えているので、乾燥機本体１１内部において、ドラム受け部５２によって乾燥ドラム２０を支持した状態で、乾燥ドラム２０を軸支するドラム受けアーム１３を分解することができる。また、上述のように、ドラム用台車５０は、ドラム受け部５２を昇降する昇降機構５７を備えているので、乾燥ドラム２０が乾燥機本体１１内に装着された状態でドラム用台車５０を乾燥機本体１１内に挿入する際に、ドラム受け部５２が乾燥ドラム２０と干渉することが防止される。
【００４４】
そして、乾燥機本体１１から分離された乾燥ドラム２０を、ドラム用台車５０を利用して乾燥機本体１１の外部へと搬出することが可能となる。
このように、本実施形態であるドラム式乾燥機１０及びドラム式乾燥機１０のメンテナンス方法によれば、乾燥ドラム２０を傷つけることなく、確実に乾燥機本体１１の外部へと搬出することが可能となる。
【００４５】
また、乾燥機本体１１の開口部１２には、上方に向けて突出する位置ガイドピン１１Ｅが設けられているので、この位置ガイドピン１１Ｅを外部レール部４０の一端に設けられたガイド孔に挿入することにより、外部レール部４０の高さ位置及び幅方向位置が案内されることになり、内部レール部１５と連設を円滑に行うことができる。よって、上述の乾燥チャンバ３０及びブラケット３１、並びに、ドラム用台車５０が、内部レール部１５と外部レール部４０との間を確実に移動することが可能となる。また、外部レール部４０の装着作業が簡単になり、メンテナンス作業をさらに迅速に実施することができる。
【００４６】
さらに、外部レール部４０には、支持脚部４１に高さ調整機構が設けられているので、乾燥機本体１１の開口部１２から離間した位置において床面等に傾斜や凹凸が存在しても、外部レール部４０の高さを調整することで、外部レール部４０を水平に保つことができ、上述の乾燥チャンバ３０及びブラケット３１、並びに、ドラム用台車５０のスライド移動を円滑に行うことが可能となる。
【００４７】
また、乾燥チャンバ３０及びブラケット３１、並びに、ドラム用台車５０に備えられたスライド部材３３が、上部ホイール３４と下部ホイール３５とを有し、内部レール部１５をこれら上部ホイール３４と下部ホイール３５とで挟持する構成とされているので、内部レール部１５に沿って移動する際には、スライド部材３３の上下方向位置が固定されることになる。よって、乾燥機本体１１内部において、乾燥チャンバ３０及びブラケット３１、並びに、ドラム用台車５０の上下方向位置が安定することになり、乾燥機本体１１内部の他の部品等に衝突することが防止され、確実に、これら乾燥チャンバ３０及びブラケット３１、並びに、ドラム用台車５０をスライド移動させることができる。
【００４８】
また、本実施形態では、スライド部材３３、５３に配設された上部ホイール３４、５４及び下部ホイール３５、５５が環状溝３７を有し、内部レール部１５の上面及び下面が環状溝３７に係合する構成とされているので、内部レール部１５とスライド部材３３、５３との相対幅方向位置が安定することになる。また、外部レール部４０側から内部レール部１５側に移動する際に、内部レール部１５とスライド部材３３、５３との係合が円滑に行われることになる。よって、乾燥チャンバ３０及びブラケット３１、並びに、ドラム用台車５０を円滑に移動することができる。
【００４９】
さらに、本実施形態では、外部レール部４０にストッパ部材４４が設けられているので、外部レール部４０の上で乾燥チャンバ３０及びブラケット３１、並びに、ドラム用台車５０を固定してメンテナンスを実施することができる。
また、乾燥チャンバ３０及びブラケット３１、並びに、ドラム用台車５０は、外部レール部４０のレール面上に載置されているので、クレーン等の搬送機によって容易に搬出、搬入を行うことができる。
さらに、本実施形態では、外部レール部４０が、Ｌ型鋼等の軽量型鋼によって構成されており、軽量で取扱いが容易とされているので、乾燥機本体１１の開口部１２への着脱作業を比較的容易に行うことができる。
【００５０】
以上、本発明の実施形態であるドラム式乾燥機及びドラム式乾燥機のメンテナンス方法について説明したが、本発明はこれに限定されることはなく、その発明の技術的思想を逸脱しない範囲で適宜変更可能である。
例えば、スライド部材が４つのホイールを備え、内部レール部及び外部レール部を転動する構成として説明したが、これに限定されることはなく、内部レール部及び外部レール部に転動ホイールが設けられており、スライド部材がこれらの転動ホイールに沿って移動する構成であってもよい。
また、図１に示す印刷記録装置に備えられたドラム式乾燥機として説明したが、これに限定されることはなく、乾燥ドラムと乾燥チャンバと内部レール部とを備えたドラム式乾燥機であればよい。
【符号の説明】
【００５１】
１０  ドラム式乾燥機
１１  乾燥機本体
１２  開口部
１５  内部レール部
２０  乾燥ドラム
３０  乾燥チャンバ
３３  スライド部材
４０  外部レール部
４１  支持脚部（高さ調整機構）
５０  ドラム用台車
５２  ドラム受け部
５３  スライド部材
５７  昇降機構
【図１】
0005470176.tif 000002
【図２】
0005470176.tif 000003
【図３】
0005470176.tif 000004
【図４】
0005470176.tif 000005
【図５】
0005470176.tif 000006
【図６】
0005470176.tif 000007
【図７】
0005470176.tif 000008
【図８】
0005470176.tif 000009